(57)【要約】      （修正有）【課題】多数のカード類が収納できるうえ、軽量、コンパクトで、バッグに入れたり、ポケットに入れて持ち運ぶことが容易で、かつ、カードを出し入れすることも、確認することも容易であるカード収納具を提供する。【解決手段】カード収納具は、第一布地を袋状に縫って形成された矩形の本体部３と、本体部を二つ折りした内側に逢着され、本体部よりもサイズが小さい第二布地６を奇数枚縫い合わせて収容口４ａが格子状に複数形成された収納部４と、本体部を二つ折りしたとき、ぴったり重なる短辺３ｂ近傍に設置された一対の係合部（スナップボタン５）と、を備える。【選択図】図２
0003225295.tif 000002
【実用新案登録請求の範囲】
【請求項１】
第一布地を袋状に縫って形成された矩形の本体部と、該本体部を二つ折りした内側に逢着され、該本体部よりもサイズが小さい第二布地を奇数枚縫い合わせて収容口が格子状に複数形成された収納部と、該本体部を二つ折りしたとき、ぴったり重なる短辺近傍に設置された一対の係合部と、を備えたことを特徴とするカード収納具。
【請求項２】
前記収納部は、
５枚の前記第二布地それぞれに、該第二布地の面積を４等分する３本の線を記し、
前記本体部に重ねた該第二布地の１枚目の両端辺それぞれと、該３本の線のうちの２番目の線とを該本体部に縫い付け、該１枚目及び該１枚目に重ねた２枚目それぞれの１番目の線同士並びに３番目の線同士を縫い合わせ、該２枚目及び該２枚目に重ねた３枚目それぞれの２番目の線同士並びに両端辺同士を縫い合わせ、該３枚目及び該３枚目に重ねた４枚目それぞれの１番目の線同士並びに３番目の線同士を縫い合わせ、該４枚目と該４枚目に重ねた５枚目それぞれの２番目の線同士及び両端辺同士を縫い合わせ、該本体部を二つ折りして、該５枚目の１番目の線同士及び３番目の線同士を縫い合わせたものであることを特徴とする請求項１記載のカード収納具。
【請求項３】
前記収納部は、
５枚の前記第二布地それぞれに、該第二布地の面積を３等分する２本の線を記し、
前記本体部に重ねた該第二布地の１枚目の一方の端辺、及び該２本の線のうちの２番目の線を該本体部に縫い付け、
該１枚目と該１枚目に重ねた２枚目それぞれの１番目の線同士及び他方の端辺同士を縫い合わせ、
該２枚目と該２枚目に重ねた３枚目それぞれの２番目の線同士及び一方の端辺同士を縫い合わせ、
該３枚目と該３枚目に重ねた４枚目それぞれの１番目の線同士及び他方の端辺同士を縫い合わせ、
該４枚目と該４枚目に重ねた５枚目それぞれの２番目の線同士を縫い合わせ、前記本体部を二つ折りして、該５枚目の１番目の線同士及び他方の端辺同士を縫い合わせたものであることを特徴とする請求項１記載のカード収納具。
【請求項４】
前記第二布地それぞれは、前記３本の線それぞれの中央が前記本体部を二つ折りする折り目に合致するように配置され、
前記１枚目の前記２番目の線は、前記本体部の面積を二等分する線に縫い付けられることを特徴とする請求項２記載のカード収納具。
【請求項５】
前記第二布地それぞれは、該第二布地及び前記本体部それぞれの面積を二等分する線同士が重なり、前記２本の線それぞれの中央が該本体部を二つ折りする折り目に合致するように配置されることを特徴とする請求項３記載のカード収納具。
【請求項６】
前記第一布地と前記第二布地の何れか一方又は双方は、柄入りであることを特徴とする請求項１から５記載のカード収納具。
【考案の詳細な説明】
【技術分野】
【０００１】
本考案は、キャッシュカード、クレジットカード、ポイントカード等の多数のカード類を収納したとき、それぞれのカードが見やすく、かつ取り出しやすいうえ、軽量なカード収納具に関する。
【背景技術】
【０００２】
近年、キャッシュカードやクレジットカードのみならず、ポイントカードや会員カードなど多種類のカードが発行されており、持ち歩くカード類の数が多くなってきている。
このため、複数枚数のカードが収納可能な収納ポケットを有する財布が販売されているが、その収納ポケットに複数枚のカードを収納すると、財布全体の厚さ寸法が大きくなり、折り畳んでズボンの後ポケットに収納する場合には、厚みがあるためポケットに入れにくいうえ、外観上見苦しい。そこで、複数枚数のカード収納した場合であっ
ても、厚さ寸法が大きくならない財布が提案されている（特許文献１参照）。
しかしながら、収納スペースに、カード類がしっかりと収まる構造のため、何処にどのカード類が収納されているのかを見分けるのが容易でないうえ、カード類の出し入れが簡単ではない。
そこで、収容するカード類を挟み込むために対向する蛇腹状の挟持壁と挟持壁相互間に形成されるカード類の収容域とを具備し、カード類をその収容域に出し入れするときには対向する挟持壁の蛇腹状の溝の相互間の間隔を拡大しうるようにして収容したカード類の視認を容易にしたカード収容構造が提案されている（特許文献２参照）。
また、前片部と後片部と上方開口部を有して全体袋状に形成された収納部本体と、前記上方開口部を塞ぐスライドチャック若しくは蓋部と、複数の布片が前後幅方向に重ねて配置されかつこれら前片部、複数の布片、後片部の交互の縫い合わせによる縦方向の縫合部によって区画形成された複数のポケット状のカード収納部を備え、カードの出し入れを容易に行うことができると同時に収納されている取り出したい所望のカードを容易に見つけることを可能にした財布形収納具が提案されている（特許文献３参照）。
【先行技術文献】
【特許文献】
【０００３】
【特許文献１】実用新案登録第３１４７３７４号公報
【特許文献２】特開平０９−１０８０１８号公報
【特許文献３】実用新案登録第３２０５１２４号公報
【考案の概要】
【考案が解決しようとする課題】
【０００４】
しかしながら、カードを複数枚収容できる長財布は、二つ折りするにしても、革製のものは、かさばる上に、蓋つきで重いため、ポケットに入れて携行するには難があり、薄型にしてコンパクト化するとカードの確認が困難であったり、カードの出し入れがスムーズにゆかない。
上記事情に鑑み、本考案は、多数のカード類が収納できるうえ、軽量、コンパクトで、バッグに入れたり、ポケットに入れて持ち運ぶことが容易で、かつ、カードを出し入れすることも、確認することも容易であるカード収納具を提供することを目的とする。
【課題を解決するための手段】
【０００５】
本考案のカード収納具は、第一布地を袋状に縫って形成された矩形の本体部と、該本体部を二つ折りした内側に逢着され、該本体部よりもサイズが小さい第二布地を奇数枚縫い合わせて収容口が格子状に複数形成された収納部と、該本体部を二つ折りしたとき、ぴったり重なる短辺近傍に設置された一対の係合部と、を備えたことを特徴とする。
このように収容口が格子状に複数形成された収納部を設ければ、多数のカード類が収納できるうえ、布製のために軽量、コンパクトであり、バッグに入れたり、ポケットに入れて持ち運ぶことが容易である。さらに、収容口が格子状をなすため、カード収納具を開くと、開口が大きくなるので、カードを出し入れすることも、確認することも容易である。
ここで、上記収納部は、５枚の上記第二布地それぞれに、該第二布地の面積を４等分する３本の線を記し、上記本体部に重ねた該第二布地の１枚目の両端辺それぞれと、該３本の線のうちの２番目の線とを該本体部に縫い付け、該１枚目及び該１枚目に重ねた２枚目それぞれの１番目の線同士並びに３番目の線同士を縫い合わせ、該２枚目及び該２枚目に重ねた３枚目それぞれの２番目の線同士並びに両端辺同士を縫い合わせ、該３枚目及び該３枚目に重ねた４枚目それぞれの１番目の線同士並びに３番目の線同士を縫い合わせ、該４枚目と該４枚目に重ねた５枚目それぞれの２番目の線同士及び両端辺同士を縫い合わせ、該本体部を二つ折りして、該５枚目の１番目の線同士及び３番目の線同士を縫い合わせたものであれば、収容口が１７個できるので、多数のカード類が収容できる。
その場合、上記第二布地それぞれは、上記３本の線それぞれの中央が上記本体部を二つ折りする折り目に合致するように配置され、上記１枚目の上記２番目の線は、上記本体部の面積を二等分する線に縫い付けられる。
【０００６】
また、上記収納部は、５枚の上記第二布地それぞれに、該第二布地の面積を３等分する２本の線を記し、上記本体部に重ねた該第二布地の１枚目の一方の端辺、及び該２本の線のうちの２番目の線を該本体部に縫い付け、該１枚目と該１枚目に重ねた２枚目それぞれの１番目の線同士及び他方の端辺同士を縫い合わせ、該２枚目と該２枚目に重ねた３枚目それぞれの２番目の線同士及び一方の端辺同士を縫い合わせ、該３枚目と該３枚目に重ねた４枚目それぞれの１番目の線同士及び他方の端辺同士を縫い合わせ、該４枚目と該４枚目に重ねた５枚目それぞれの２番目の線同士を縫い合わせ、上記本体部を二つ折りして、該５枚目の１番目の線同士及び他方の端辺同士を縫い合わせたものであれば、カード収納具の幅が一回り小さくなり、ポケット等により入りやすくなるうえ、収容口も１１個できる。
その場合、上記第二布地それぞれは、該第二布地及び上記本体部それぞれの面積を二等分する線同士が重なり、上記２本の線それぞれの中央が該本体部を二つ折りする折り目に合致するように配置される。
ここで、上記第一布地と上記第二布地の何れか一方又は双方は、柄入りであれば、カード収納具の外面に色々な模様が顕れるので、自分の物と他人の物とを識別することが容易である。
【考案の効果】
【０００７】
本考案のカード収納具は、布製のために軽量でコンパクトであり、ポケットに入れたり、バッグに入れたりして持ち運ぶことが容易なうえ、多数のカードを収納しても個々のカードを確認したり、出し入れすることが容易である。
また、柄入りの生地を使用すればカード収納具の表面に色々な模様が顕れるので、持ち主を見分けることができる。
【図面の簡単な説明】
【０００８】
【図１】図１は、第１の実施形態のカード収納具の外観図である。
【図２】図２は、第１の実施形態のカード収納具のスナップボタンを開いた状態の斜視図である。
【図３】図３は、通常の薄い生地から第二布地を作成する一例を示した図である。
【図４】図４は、第二布地を本体部に逢着する位置を一例として示す図である。
【図５】図５は、第二布地の２枚目を１枚目に縫い付ける図である。
【図６】図６は、第二布地の３枚目を２枚目に縫い付ける図である。
【図７】図７は、第二布地の１枚目と２枚目を本体部に縫い付ける図である。
【図８】図８は、第二布地の４枚目を３枚目に縫い付ける図である。
【図９】図９は、第二布地の５枚目を４枚目に縫い付ける図である。
【図１０】図１０は、第２の実施形態のカード収納具の外観図である。
【図１１】図１１は、第２の実施形態のカード収納具のスナップボタンを開いた状態の斜視図である。
【図１２】図１２は、本体部に第２布地を逢着する位置を一例として示す図である。
【考案を実施するための形態】
【０００９】
以下に、本考案のカード収納具の実施形態について、図に基づいて説明する。
図1及び図２は、第１の実施形態のカード収納具を示す図であり、図１は、スナップボタンを閉じた状態の外観図、図２はスナップボタンを開いた状態の斜視図である。
図１及び図２に示す本実施形態のカード収納具１は、模様の入った第一布地３ａを袋状に縫って形成された矩形の本体部３と、その本体部３を二つ折りした内側に逢着された収納部４と、その本体部３を二つ折りしたときに、ぴったり重なる短辺３ｂの近傍に設置されたスナップボタン（本考案の「一対の係合部」に相当する。）５と、を備えている。
本体部３の表面側には模様３ｃが入っており、裏面側には、収納部４が逢着されると共に、ぴったりと重なった短辺３ｂの近傍には、相互に係合するスナップボタン５が打設されている。そして、本体部３の縁には、ステッチ８が施されている。
従って、収納部４にカードを収納して本体部３を二つ折りしてスナップボタン５を係合すると、カード収納具１の外面に模様３ｃが顕れるので、色々な模様の入った第一布地３ａで本体部３を形成すれば、自分の物と他人の物とを識別することが容易である。
収納部４は、本体部３よりもサイズが小さい第二布地６を５枚縫い合わせることにより、格子状の複数の収容口４ａが１７個形成されており、本体部３の裏面側に逢着されている。
従って、カード収納具１のスナップボタン５の係合を外し、ぴったり重なった短辺３ｂ相互を離間させると、収容口４ａそれぞれの開口が大きくなり、そこに収容されたカードの種類や発行元等の確認が容易にできる上、カードの出し入れも容易にできる。
また、本実施形態のカード収納具１には、本体部３の外面に切り込み７が設けてあり、その中に挿入された小袋（図に現われない）の辺縁が、切り込み７の辺縁に逢着されている。
従って、その小袋に折畳んだ紙幣等を一時的に収納することができる。
ここで、本体部３は、２枚の生地からなる第一布地３ａを袋状に縫って形成しているが、複数枚の生地を継ぎ合わせて第一布地３ａを作成し、それを袋状に縫って形成してもよいし、本体部３の外面には、必ずしも切り込み７を設けて小袋を作成する必要はない。
また、収納部４は、第二布地６を５枚縫い合わせて形成しているが、第二布地６は必ずしも５枚にする必要はなく、奇数枚であればよい。
【００１０】
図３は、通常の薄い生地から第二布地を作成する一例を示した図である。
図３に示すように、通常の薄い生地６ａを第二布地６とする場合は、中央に折幅６ｂを設け、両辺６ｃをそれぞれ図の破線で折畳み、上辺及び下辺は約５ｍｍ幅でステッチ８を施して第二布地６とする。
薄い生地６ａの寸法は、１２０ｍｍ×３００ｍｍで、長辺の中央に１０ｍｍの折幅６ｂを設け、その両側に両辺６ｃそれぞれが重なるように折畳むことにより、１２０ｍｍ×１５５ｍｍの第二布地６を作成している。
なお、厚手の生地を使用する場合は、折畳まずに周囲をステッチして使用することもできる。
【００１１】
図４は、第二布地を本体部に逢着する位置を一例として示す図である。
図４に示すように、本体部３のサイズは、１４５ｍｍ×２３５ｍｍに設定している。
第二布地６は、サイズが１２０ｍｍ×１５５ｍｍで、本体部３の中央に、折畳んだ面を下にして配置される。
但し、ここで示した薄い生地６ａの寸法、第二布地６の寸法、および本体部３の寸法は一例であって、必ずしもこれらの寸法に限定する必要はない。
５枚の第二布地６それぞれには縫い合わせの目印として、面積を４等分する三本の線Ｌは、図の上から順に、１番目の線Ｌ１、２番目の線Ｌ２、３番目の線Ｌ３（本考案の「１番目の線、２番目の線、３番目の線」に相当する。）と称する。
そして、三本の線Ｌそれぞれを２等分する線Ｍが、チョーク等で引かれている。
また、５枚の第二布地６は、下から順に、１枚目６１、２枚目６２、３枚目６３、４枚目６４、５枚目６５と称し、本考案の「１枚目、２枚目、３枚目、４枚目、５枚目」に相当する。そして、それらのうちの１枚目６１を、本体部３に重ね合わせる。
そのとき、本体部３と第二布地６それぞれの面積を二等分する線Ｋ同士が重なり、第二布地６に引かれた３本の線Ｌそれぞれを２等分する線Ｍが本体部３を二つ折りする折り目９に合致するように配置する。
【００１２】
図５から図９は、収納部を作成するために５枚の第二布地を縫い付ける位置及び手順を示す図であり、図５は、２枚目を１枚目に縫い付ける図、図６は、３枚目を２枚目に縫い付ける図、図７は、１枚目と２枚目を本体部に縫い付ける図、図８は、４枚目を３枚目に縫い付ける図、図９は、５枚目を４枚目に縫い付ける図である。
図５に示すように、本体部３に重ねた第二布地６の１枚目６１の一方の端辺Ｘ、及び３本の線Ｌのうちの２番目の線Ｌ２をミシンで本体部３に縫い付け、２枚目６２の１番目の線Ｌ１を１枚目６１の１番目の線Ｌ１と縫い合わせる。
図６に示すように、２枚目６２及び３枚目６３それぞれの２番目の線Ｌ２同士をミシンで縫い合わせる。
そして、図７に示すように、１枚目６１の他方の端片Ｙ、及び２枚目６２の３番目の線Ｌ３をミシンで本体部３に縫い付ける。
図８に示すように、４枚目６４の１番目の線Ｌ１を３枚目６３の１番目の線Ｌ１と縫い合わせ、２枚目６２と３枚目６３の一方の端辺Ｘ同士を縫い合わせる。
図９は、５枚目６５の２番目の線Ｌ２を４枚目６４の２番目の線Ｌ２と縫い合わせ、３枚目６３と４枚目６４の３番目の線Ｌ３同士を縫い合わせ、２枚目６２と３枚目６３の他方の端辺Ｙ同士を縫い合わせる。
そして、最後に、図２に示したように、本体部３を二つ折し、収納部４を浮かせるなどして、５枚目６５の１番目の線Ｌ１同士、及び３番目の線Ｌ３同士をミシンで縫い合わせ、４枚目６４と５枚目６５の両端辺Ｘ，Ｙ同士をミシンで縫い合わせる。さらに、収納部４が本体部３に接する２個所をしっかりと縫い付けて閂止め１０を行う。
【００１３】
［第２の実施形態］
第２の実施形態は、例えばズボンのポケット等にしまうことが容易なように本体部の横幅を小さくして、収納部の収容口数を少なくした点が第１の実施形態と相違する。
しかしながら、収納部のそれ以外の収納部を作成するために５枚の第二布地を縫い付ける位置及び手順は、第１の実施形態で説明したものに準ずるので、説明図は省略する。
図１０及び図１１は、第２の実施形態のカード収納具を示す図であり、図１は、スナップボタンを閉じた状態の外観図、図２はスナップボタンを開いた状態の斜視図である。
図１０及び図１１に示す本実施形態のカード収納具２は、例えば鱗文様３ｄの入った第一布地３ａを袋状に縫って形成された矩形の本体部３と、その本体部３を二つ折りした内側に逢着された収納部４と、その本体部３を二つ折りしたときに、ぴったり重なる短辺３ｂの近傍に設置されたスナップボタン５と、を備えている。
本体部３の表面側には鱗文様３ｄが入っており、裏面側には、収納部４が逢着されると共に、ぴったりと重なった短辺３ｂの近傍には、相互に係合するスナップボタン５が打設されている。
従って、収納部４にカードを収納して本体部３を二つ折りしてスナップボタン５を係合させると、カード収納具２の外面に鱗文様３ｄが顕れるので、色々な模様の入った第一布地３ａで本体部３を形成すれば、自分の物と他人の物とを識別することが容易である。
収納部４は、本体部３よりもサイズが小さい第二布地６を５枚縫い合わせることにより、格子状の複数の収容口４ａが１１個形成されており、本体部３の裏面側に逢着されている。
従って、カード収納具２のスナップボタン５の係合を外し、ぴったり重なった短辺３ｂ相互を離間させると、収容口４ａそれぞれの開口が大きくなり、そこに収容されたカードの種類や発行元等の確認が容易にできる上、カードの出し入れも容易にできる。
ここで、収納部４は、第二布地６を５枚縫い合わせて形成しているが、第二布地６は必ずしも５枚にする必要はなく、奇数枚であればよい。
【００１４】
図１２は、本体部に第２布地を逢着する位置を一例として示す図である。
図１２に示す本体部３は、サイズが１１５ｍｍ×２３５ｍｍで、第二布地６は、サイズが９０ｍｍ×１５５ｍｍに設定されている。
但し、ここで示した数値は一例であって、必ずしもこれらの数値に限定されない。
本体部３の中央には５枚の第二布地６（下から順に、１枚目６１、２枚目６２、３枚目６３、４枚目６４、５枚目６５と称する。）が配置されている。
５枚の第二布地６それぞれには、面積を３等分する二本の線Ｌ（図の上から順に、１番目の線Ｌ１、２番目の線Ｌ２と称する。）と、二本の線Ｌそれぞれを２等分する線Ｍが、チョーク等で引かれている。
【００１５】
先ず、第二布地６の１枚目６１を本体部３に重ね、それぞれの面積を２等分する線同士が重なり、二本の線Ｌそれぞれを二等分する線Ｍが本体部３の折り目９に合致するように配置する。そして、１枚目６１の一方の端辺Ｘ、及び２本の線のうちの２番目の線Ｌ２をミシンで本体部３に縫い付ける。
次に、２枚目６２を１枚目６１に重ね、それぞれの１番目の線Ｌ１同士及び他方の端辺Ｙ同士を縫い合わせる。
そして、３枚目６３を２枚目６２に重ねて、それぞれの２番目の線Ｌ２同士及び一方の端辺Ｘ同士を縫い合わせる。
次に、４枚目６４を３枚目６３に重ね、それぞれの１番目の線Ｌ１同士及び他方の端辺Ｙ同士を縫い合わせる。
そして、５枚目６５を４枚目６４に重ねて、それぞれの２番目の線Ｌ２同士を縫い合わせる。
最後に、本体部３を二つ折りして、５枚目６５の１番目の線Ｌ１同士及び他方の端辺Ｙ同士を縫い合わせ、収納部４が本体部３に接する２個所をしっかりと縫い付けて閂止め１０し、図１１で示した本実施形態のカード収納具２が完成する。
【符号の説明】
【００１６】
１，２    カード収納具
３        本体部
３ａ      第一布地
３ｂ      短辺
３ｃ      模様
３ｄ      鱗文様
４        収納部
４ａ      収容口
５        スナップボタン
６        第二布地
６ａ      薄い布地
６ｂ      折幅
６ｃ      両辺
７        切り込み
８        ステッチ
９        折り目
１０      閂止め
６１      １枚目
６２      ２枚目
６３      ３枚目
６４      ４枚目
６５      ５枚目
Ｌ１      １番目の線
Ｌ２      ２番目の線
Ｌ３      ３番目の線
Ｘ        一方の端辺
Ｙ        他方の端辺
【図１】
0003225295.tif 000003
【図２】
0003225295.tif 000004
【図３】
0003225295.tif 000005
【図４】
0003225295.tif 000006
【図５】
0003225295.tif 000007
【図６】
0003225295.tif 000008
【図７】
0003225295.tif 000009
【図８】
0003225295.tif 000010
【図９】
0003225295.tif 000011
【図１０】
0003225295.tif 000012
【図１１】
0003225295.tif 000013
【図１２】
0003225295.tif 000014